(57)【特許請求の範囲】
【請求項１】
洗浄水を便器に供給して便器を洗浄して汚物を排出する水洗大便器であって、
汚物受け面及び上縁部にあるリム部を備えたボウル部と、
このボウル部の汚物受け面とリム部との間の内周面上に洗浄水を便器前方方向に吐水して旋回流を形成する吐水部と、
上記ボウル部の下方にその入口が接続され汚物を排出する排水トラップ管路と、を有し、
上記ボウル部の溜水面の位置よりも上方部分に凹部を設け、この凹部の上縁部の上記吐水部に近い側の後方に位置するコーナー部に旋回する洗浄水の流れ方向を下方に偏向する旋回流偏向部を形成し、
上記凹部の壁面は、上記溜水面の位置と上記凹部の上縁部の位置とのほぼ中間位置から下方部分の横断面が楕円形状となるように形成されていることを特徴とする水洗大便器。
【請求項２】
上記凹部の旋回流偏向部は、上記吐水部から洗浄水が吐水されたとき、溜水面の水位が上昇して最高位置となる水位上昇最高位置付近に形成されている請求項１に記載の水洗大便器。
【請求項３】
上記凹部の旋回流偏向部は、１５ｍｍ〜５０ｍｍの曲率半径で形成されている請求項１又は請求項２に記載の水洗大便器。
【請求項４】
上記凹部の旋回流偏向部は、１５ｍｍ〜４０ｍｍの曲率半径で形成されている請求項１又は請求項２に記載の水洗大便器。
【請求項５】
上記凹部の旋回流偏向部は、２０ｍｍ〜４０ｍｍの曲率半径で形成されている請求項１又は請求項２に記載の水洗大便器。
【発明の詳細な説明】
【技術分野】
【０００１】
本発明は、水洗大便器に係り、特に、洗浄水を便器に供給して便器を洗浄して汚物を排出する水洗大便器に関する。
【背景技術】
【０００２】
従来から、水洗大便器において、溜水にほぼ水平方向の旋回流を付与してボウル面を洗いながら汚物を中心付近に集め、サイホン作用により、排水トラップ管路から一気に外部に排出するという効果的な洗浄形態が利用されている。
このような水洗大便器においては、水平方向外側に広がる流れである旋回流が溜水表面の浮遊系汚物を外側に押し出すように作用するため、旋回流自体により浮遊系汚物を排水トラップ管路の入口開口に誘導することが困難であるため、通常は、サイホン作用による引き力やジェット吐水口からの吐水によって、排水トラップ管路へ誘導するようにしている。
【０００３】
この水洗大便器における旋回流の外側への広がりを抑制して、旋回流をボウル部の底部内に留めて、汚物を排出するようにした水洗大便器が、特許文献１に開示されている。
さらに、水洗大便器のボウル部の溜水部の後面壁をほぼ垂直に立ち上げて形成して、溜水部の後方に回り込んだ洗浄水を、排水トラップ管路の入口に向かって真下方向に流下させることにより、旋回流の水勢を低下させるようにしたものが、特許文献２に開示されている。
【０００４】
【特許文献１】特許第３０５２１８０号公報
【特許文献２】特開２００２‐１３８５５５号公報
【発明の開示】
【発明が解決しようとする課題】
【０００５】
しかしながら、上述した特許文献１の水洗大便器においては、旋回流をボウル部の底部内に留めるようにしたものであるが、浮遊系汚物は依然として溜水面上に存在するため排出されずボウル部内に残存してしまう不具合を解消することができない。
さらに、特許文献２の水洗大便器においても、大部分の旋回流はほぼ垂直に立ち上げて形成された後面壁により真下方向に流下するが、一部の旋回流が後面壁を越えて流れ依然として旋回流が継続し、浮遊系汚物が残るという不具合がある。
【０００６】
そこで、本発明は、従来技術の問題点を解決するためになされたものであり、浮遊系汚物を溜水面上に残すことなく確実に排出することができる水洗大便器を提供することを目的としている。
【課題を解決するための手段】
【０００７】
上述した目的を達成するために、本発明は、洗浄水を便器に供給して便器を洗浄して汚物を排出する水洗大便器であって、汚物受け面及び上縁部にあるリム部を備えたボウル部と、このボウル部の汚物受け面とリム部との間の内周面上に洗浄水を便器前方方向に吐水して旋回流を形成する吐水部と、ボウル部の下方にその入口が接続され汚物を排出する排水トラップ管路と、を有し、ボウル部の溜水面の位置よりも上方部分に凹部を設け、この凹部の上縁部の吐水部に近い側の後方に位置するコーナー部に旋回する洗浄水の流れ方向を下方に偏向する旋回流偏向部を形成し、凹部の壁面は、溜水面の位置と凹部の上縁部の位置とのほぼ中間位置から下方部分の横断面が楕円形状となるように形成されていることを特徴としている。
このように構成された本発明においては、吐水部から吐水された洗浄水が旋回流となり、次に、この旋回流が吐水部に近い側の後方に位置するコーナー部に形成された旋回流偏向部に衝突し、旋回する洗浄水の流れを下方に変更させることにより、凹部における旋回流の外側への広がりを抑制し、浮遊系汚物を中央に集める流れを形成することが可能となり、効果的に汚物を排出することができる。さらに、本発明においては、ボウル部８内のいったん上昇した溜水の水位がサイホン作用により低下するが、このとき、溜水面の位置と凹部の上縁部の位置とのほぼ中間位置から下方部分において、旋回流が楕円形状の部分に沿って流れるので、水位の下降により旋回力を有した洗浄水が減少しても旋回力が衰えず、浮遊系汚物が中央に集められ、汚物をより効果的に排出することができるようになっている。
【０００８】
本発明において、好ましくは、凹部の旋回流偏向部は、吐水部から洗浄水が吐水されたとき、溜水面の水位が上昇して最高位置となる水位上昇最高位置付近に形成されている。
このように構成された本発明においては、凹部に流入した旋回流を旋回流偏向部で旋回力を弱めることができるので、旋回流の外側への広がりを効果的に抑制することができる。
【００１０】
本発明において、好ましくは、凹部の旋回流偏向部は、１５ｍｍ〜５０ｍｍの曲率半径で形成されている。
また、本発明において、好ましくは、凹部の回流偏向部は、１５ｍｍ〜４０ｍｍの曲率半径で形成されている。
さらに、本発明において、好ましくは、凹部の旋回流偏向部は、２０ｍｍ〜４０ｍｍの曲率半径で形成されている。
【発明の効果】
【００１１】
本発明の水洗大便器によれば、浮遊系汚物を溜水面上に残すことなく確実に排出することができる。
【発明を実施するための最良の形態】
【００１２】
以下、本発明の実施形態を添付図面を参照して説明する。図１は本発明の実施形態による水洗大便器を示す縦断面図であり、図２は図１に示す水洗大便器の平面図であり、図３は図２のIII−III線に沿って見た縦断面図である。
【００１３】
図１及び図２に示すように、本発明の実施形態による水洗大便器１は、便器本体２と、この便器本体２の後部に取り付けられた洗浄水を貯水する貯水タンク４とを備えている。この貯水タンク４には排水弁６が設けられ、便器本体２へ洗浄水が供給されるようになっている。
便器本体２の前方上部にはボウル部８が形成され、後方上部には洗浄水の導水路１０が形成され、さらに、ボウル部８の下方には排水トラップ管路１２が形成されている。
【００１４】
ボウル部８は、汚物受け面１４と、その上縁部に形成されたリム部１６を備え、リム部１６の内周面は、洗浄水が外に飛び出さないようにオーバーハングした形状となっている。さらに、ボウル部８の汚物受け面１４の溜水面の位置（Ａ３）よりも上方部分には、詳細は後述する凹部１８が形成されている。さらに、この凹部１８の下方には、上述した排水トラップ管路１２の入口１２ａが開口し、この入口１２ａから上昇路１２ｂが後方に延び、この上昇路１２ｂには下降路１２ｃが連続し、下降路１２ｃの下端は、排水ソケット（図示せず）を介して排出管（図示せず）に接続されている。
【００１５】
ボウル部８の前方から見て左側の後部には、上述した導水路１０に連通する吐水口（吐水部）２０が形成されている。この吐水口２０から、貯水タンク４内の洗浄水が導水路１０を経て、リム部１６と汚物受け面１４の間の内周面上に便器前方方向に吐水され、旋回流が形成されるようになっている。
【００１６】
次に、図１及び図４乃至図７により、上述したボウル部８の凹部１８について詳細に説明する。ここで、図４は本発明の実施形態による水洗大便器のボウル部の凹部を示す斜視図であり、図５は図４の凹部の溜水面の水位の最大上昇位置（Ａ１）における形状を示す平面図であり、図６は図４の凹部の溜水面の水位と最大上昇位置とのほぼ中間位置（Ａ２）における形状を示す平面図であり、図７は図４の凹部の溜水面の水位（Ａ３）における形状を示す平面図である。
【００１７】
先ず、図５に示すように、ボウル部８の凹部１８の溜水面の水位の最大上昇位置（Ａ１）の形状は、前方が楕円形状であり、後方が矩形形状となっている。この凹部１８の後方の矩形形状の部分は、吐水口２０に近い側（前方から見て左側）の後方に第１旋回流偏向部である第１コーナー部２２が形成され、一方、前方から見て右側の後方に第２旋回流偏向部である第２コーナー部２４が形成されている。これらの第１コーナー部２２及び第２コーナー部２４により、旋回する洗浄水の流れ方向を下方に偏向して、洗浄水の旋回流を抑制できるようになっている。なお、本実施形態においては、第２コーナー部２４は、設けることが好ましいが、省略して、その部分を楕円形状としても良い。
【００１８】
ここで、第１コーナー部２２は、１５ｍｍ〜５０ｍｍの曲率半径で形成されている。また、第１コーナー部２２は、１５ｍｍ〜４０ｍｍの曲率半径で形成されているのがより好ましく、さらに、２０ｍｍ〜４０ｍｍの曲率半径で形成されているのが最も好ましい。このように、第１コーナー部２２の曲率半径を設定したのは、曲率半径が５０ｍｍよりも大きいと洗浄水の旋回流を効果的に抑制することができず、また、曲率半径が１５ｍｍよりも小さいと製造上問題が生じるからである。なお、第２コーナー部２４は、第１コーナー部２２と同じ曲率半径で設定するのが好ましい。
【００１９】
次に、図６に示すように、ボウル部８の凹部１８の溜水面の水位と最大上昇位置とのほぼ中間位置（Ａ２）の横断面形状は、楕円形状なっており、また、この凹部１８の溜水面の水位の最大上昇位置（Ａ１）から溜水面の水位と最大上昇位置とのほぼ中間位置（Ａ２）の間の形状は、連続して滑らかに変化するように形成されている。
【００２０】
次に、図７に示すように、ボウル部８の凹部１８の溜水面の水位（Ａ３）における形状も、楕円形状なっている。また、この凹部１８の溜水面の水位と最大上昇位置とのほぼ中間位置（Ａ２）と溜水面の水位（Ａ３）の間の形状は、ほぼ相似の楕円形状であり、平面視の開口面積が徐々に小さくなるように形成されている。
【００２１】
次に、図８により、本発明の実施形態による水洗大便器の動作（作用）を説明する。図８は本発明の実施形態による水洗大便器における洗浄水の流れの様子を示す斜視図である。最初に、便器洗浄のための操作レバー（図示せず）を操作すると、貯水タンク４に設けられた排水弁６が開き、貯水タンク４内の洗浄水が、導水路１０を経て、吐水口２０から、洗浄水（矢印Ｂ１参照）が便器前方方向で且つほぼ水平方向にボウル部８に吐水され、次に、水平方向の流れ（矢印Ｂ２参照）と溜水に向かって落下する流れ（矢印Ｂ３参照）に分かれ、水平方向の流れは旋回流を形成しながらボウル部８の汚物受け面１４を洗浄する。
【００２２】
ここで、溜水に向かって落下する流れ（矢印Ｂ３参照）は、凹部１８の外壁にぶつかることで排水トラップ管路１２の入口１２ａに向かう流れ（矢印Ｂ４参照）に偏向され、排水トラップ管路１２の入口１２ａに流入する。
【００２３】
一方、水平方向の流れ（矢印Ｂ２参照）は、先ず、第２コーナー部２４に衝突し旋回流が下方に偏向され旋回力が弱まり（矢印Ｂ５参照）、更に、第１コーナー部２２に衝突して旋回方向が下方に偏向され、溜水に向かって落下する流れ（矢印Ｂ６参照）となる。洗浄水は、これらの第１コーナー部２２及び第２コーナー部２４に衝突することにより、ボウル部８内の旋回流が大きく拡大することがなくなり、その結果、浮遊系汚物も外側へ押し出されることがなく、洗浄水の旋回中心付近に集まることになる。この旋回中心付近に集まった汚物を、サイホンの吸引力と、上述した排水トラップ管路１２の入口１２ａに向かう流れで押し込む（矢印Ｂ４参照）とにより、効果的に、排水トラップ管路１２の入口１２ａに送りこまれることになる。このようにして、浮遊系汚物は、確実に、排出することができる。
【００２４】
ここで、洗浄水は、凹部１８の上方位置では、凹部１８に形成された旋回偏向部である第１コーナー部２２及び第２コーナー部２４に衝突して、洗浄水の旋回エネルギーが失われるが、凹部１８の下方位置では、ボウル部８内のいったん上昇した溜水の水位がサイホン作用により低下するが、このとき、旋回流が楕円形状の部分に沿って流れるので、旋回力が衰えず、浮遊系汚物が中央に集められ、汚物をより効果的に排出することができるようになっている。
【図面の簡単な説明】
【００２５】
【図１】本発明の実施形態による水洗大便器を示す縦断面図である。
【図２】図１に示す水洗大便器の平面図である。
【図３】図２のIII−III線に沿って見た縦断面図である。
【図４】本発明の実施形態による水洗大便器のボウル部の凹部を示す斜視図である。
【図５】図４の凹部の溜水面の水位の最大上昇位置（Ａ１）における形状を示す平面図である。
【図６】図４の凹部の溜水面の水位と最大上昇位置とのほぼ中間位置（Ａ２）における形状を示す平面図である。
【図７】図４の凹部の溜水面の水位（Ａ３）における形状を示す平面図である。
【図８】本発明の実施形態による水洗大便器における洗浄水の流れの様子を示す斜視図である。
【符号の説明】
【００２６】
１  水洗大便器
２  便器本体
４  貯水タンク
６  排水弁
８  ボウル部
１０  導水路
１２  排水トラップ管路
１４  汚物受け面
１６  リム部
１８  凹部
２０  吐水口（吐水部）
２２  第１コーナー部（旋回流偏向部）
２４  第２コーナー部
【図１】
0005234500.tif 000002
【図２】
0005234500.tif 000003
【図３】
0005234500.tif 000004
【図４】
0005234500.tif 000005
【図５】
0005234500.tif 000006
【図６】
0005234500.tif 000007
【図７】
0005234500.tif 000008
【図８】
0005234500.tif 000009